(57)【要約】【課題】  画像読取装置において、密着型イメージセンサの取り付け位置を調整する際、密着型イメージセンサと読取ローラとの相対的位置を容易に調整することができるようにする。【解決手段】  画像読取装置１３は読取ローラ３１と、読取ローラに対向する密着型イメージセンサ３２とを備え、読取ローラと密着型イメージセンサとの間を通過する原稿上の画像を密着型イメージセンサで読み取って画像データを得る。密着型イメージセンサは原稿の搬送方向に沿って移動可能に支持され、密着型イメージセンサを原稿の搬送方向に沿って移動させて密着型イメージセンサの位置調整を行う。この際、密着型イメージセンサの位置調整に連動して、読取ローラ位置決め部材３９によって読み取り読取ローラの位置調整が行われる。【選択図】  図５
2005051560.tif 000002
【特許請求の範囲】
【請求項１】
読取ローラと、該読取ローラに対向する密着型イメージセンサとを備え、前記読取ローラと前記密着型イメージセンサとの間を通過する原稿上の画像を、前記密着型イメージセンサで読み取って画像データを得る画像読取装置において、
前記密着型イメージセンサを前記原稿の搬送方向に沿って移動可能に支持するセンサ支持手段と、
前記密着型イメージセンサを前記原稿の搬送方向に沿って移動させて前記密着型イメージセンサの位置調整を行うセンサ位置調整手段とを有することを特徴とする画像読取装置。
【請求項２】
前記センサ位置調整手段による前記密着型イメージセンサの位置調整に連動して、前記読取ローラの位置調整を行う読取ローラ位置調整手段を有することを特徴とする請求項１記載の画像読取装置。
【請求項３】
前記センサ支持手段は、前記密着型イメージセンサの後端側を遊嵌支持しており、
前記センサ位置調整手段は前記密着型イメージセンサの前端側を前記原稿搬送方向に移動可能に支持していることを特徴とする請求項１又は２記載の画像読取装置。
【請求項４】
前記読取ローラ位置調整手段は、前記読取ローラの軸の後端側を遊嵌支持する支持部と、前記読取ローラが支持されたガイドフレームに取り付けられて前記原稿搬送方向に延びる長穴を有し前記読取ローラの軸の前端側を前記長穴に挿入して前記読取ローラを保持する読取ローラ保持部材と、前記密着型イメージセンサに取り付けられた前記密着型イメージセンサの位置調整に応じて、前記読取ローラの軸の前端側を前記長穴に沿って摺動して前記読取ローラの位置決めを行う読取ローラ位置決め部材とを有することを特徴とする請求項３に記載の画像読取装置。
【発明の詳細な説明】
【技術分野】
【０００１】
本発明は、複写機、プリンター、又はファクシミリ装置等の画像形成装置に用いられ、読取ローラとこの読取ローラに対向する密着型イメージセンサとを備え、読取ローラと密着型イメージセンサとの間を通過する原稿上の画像を密着型イメージセンサで読み取って画像データを得る画像読取装置に関するものである。
【背景技術】
【０００２】
一般に、密着型イメージセンサ（以下単にイメージセンサと呼ぶ）を用いる画像読取装置では、読取ローラと密着型イメージセンサとの間を通過する原稿上の画像をイメージセンサで読み取って画像データを得ており、画像読取の際には、原稿の浮き等を抑えるため、読取ローラを読取基準位置に精度よく位置づける必要がある。さらに、製造段階の試験時又はメンテナンス時において、原稿が斜め搬送される際には（所謂斜行）、イメージセンサの取り付け位置を調整して、画像が斜めに形成されないようにする必要もある。加えて、イメージセンサ及び読取ローラ清掃の際においては、イメージセンサ及び読取ローラを露出させて清掃する必要がある。
【０００３】
ところで、イメージセンサの取り付け位置を調整した際においては、つまり、イメージセンサの取り付け位置を移動させると、読取基準位置に配置された読取ローラとイメージセンサとの相対的位置がずれてしまい、画像読取の際原稿の浮き等を抑えることができず、良好に画像読み取りができなくなってしまう。
【０００４】
このため、イメージセンサの移動に合わせて読取ローラを読取基準位置からずらす必要がある。つまり、イメージセンサの取り付け位置を調整した際には、読取ローラの位置を読取基準位置から調整する必要があるものの、両者を簡単にしかも精度よく位置あわせすることは難しい。
【０００５】
従来、イメージセンサと読取ローラとの位置精度を高くして、イメージセンサを読取ローラに均等な押圧力で密着するため、イメージセンサを保持する押圧支持部材として、梁部と左右それぞれの押圧部と左右それぞれの案内部と、左右それぞれの支持部とが一体に形成されたものを用いるようにしたものがある（特許文献１参照）。
【０００６】
【特許文献１】特開平８−１８７５０号公報（段落（００２７）〜段落（００２９）、第１図）
【発明の開示】
【発明が解決しようとする課題】
【０００７】
従来の画像読取装置においては、イメージセンサを押圧保持する保持部材を一体的に構成して、型イメージセンサを読取ローラに対して位置決めし密着させるための個々の部品を、イメージセンサに取り付ける際の取付け誤差を無くしているものの、前述のように、イメージセンサの取り付け位置を調整するとなると、読取ローラの位置も調整する必要があり、両者の相対的位置を精度よく位置決めすることが難しいという課題がある。
【０００８】
従って、本発明はかかる従来技術の問題に鑑み、密着型イメージセンサの取り付け位置を調整する際、密着型イメージセンサと読取ローラとの相対的位置を容易に調整することのできる画像読取装置を提供することを目的とする。
【０００９】
さらに、本発明は、密着型イメージセンサの位置調整を容易に行うことのできる画像読取装置を提供することを目的とする。
【課題を解決するための手段】
【００１０】
そこで、本発明はかかる課題を解決するために、読取ローラと、該読取ローラに対向する密着型イメージセンサとを備え、前記読取ローラと前記密着型イメージセンサとの間を通過する原稿上の画像を前記密着型イメージセンサで読み取って画像データを得る画像読取装置において、前記密着型イメージセンサを前記原稿の搬送方向に沿って移動可能に支持するセンサ支持手段と、前記密着型イメージセンサを前記原稿の搬送方向に沿って移動させて前記密着型イメージセンサの位置調整を行うセンサ位置調整手段とを有することを特徴とする。
【００１１】
さらに、本発明では、前記センサ位置調整手段による前記密着型イメージセンサの位置調整に連動して前記読取ローラの位置調整を行う読取ローラ位置調整手段を有している。
【００１２】
例えば、前記センサ支持手段は前記密着型イメージセンサの後端側を遊嵌支持しており、前記センサ位置調整手段は前記密着型イメージセンサの前端側を前記原稿搬送方向に移動可能に支持している。
【００１３】
また、前記読取ローラ位置調整手段は前記読取ローラの軸の後端側を遊嵌支持する支持部と、前記読取ローラが支持されたガイドフレームに取り付けられて前記原稿搬送方向に延びる長穴を有し前記読取ローラの軸の前端側を前記長穴に挿入して前記読取ローラを保持する読取ローラ保持部材と、前記密着型イメージセンサに取り付けられた前記密着型イメージセンサの位置調整に応じて前記読取ローラの軸の前端側を前記長穴に沿って摺動して前記読取ローラの位置決めを行う読取ローラ位置決め部材とを有している。
【発明の効果】
【００１４】
以上のように、本発明の画像読取装置は、密着型イメージセンサを原稿の搬送方向に沿って移動可能に支持するセンサ支持手段と、密着型イメージセンサを前記原稿の搬送方向に沿って移動させて密着型イメージセンサの位置調整を行うセンサ位置調整手段とを有しているから、原稿の斜行があっても簡単に密着型イメージセンサの位置調整を行うことができるという効果がある。
【００１５】
さらに、本発明では、センサ位置調整手段による密着型イメージセンサの位置調整に連動して読取ローラの位置調整を行う読取ローラ位置調整手段を有しているから、密着型イメージセンサの取り付け位置を調整する際、密着型イメージセンサと読取ローラとの相対的位置を容易に調整することができるという効果がある。
【発明を実施するための最良の形態】
【００１６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１７】
まず、図１を参照して、ここでは、原稿自動給送装置（オートフィーダ）に組み込まれた画像読取装置を例にあげて説明する。図示の原稿自動給送装置１０は、画像形成装置（例えば、複写機）とともに用いられ、画像形成装置（図示せず）本体の上面側に配置される。そして、原稿自動給送装置１０は、原稿給紙トレイ（シート積載部）１１及び原稿給送機構（シート給送機構）１２を備えており、原稿給紙トレイ１１上には原稿束が載置される。原稿給送機構１２では、原稿給紙トレイ１１上に載置された原稿束から原稿を一枚ずつ分離して、原稿を第１の画像読取位置ＧＰ１に搬送する。
【００１８】
そして、第１の画像読取位置ＧＰ１でスキャナユニット（図示せず）によって原稿の一面上の画像が読み取られた後、原稿は第２の原稿読取位置ＧＰ２に送られる。第２の原稿読取位置ＧＰ２には画像読取装置（画像読取部）１３が配置されており、画像読取装置１３によって原稿の他面上の原稿が読み取られる。そして、原稿は排紙ローラ対１６によって原稿給紙トレイ１１の下側に配置された原稿排紙トレイ１５に排紙される。
【００１９】
図示の原稿自動給送装置１０は両面印刷に対応したものであり、片面印刷の際には、例えば、第１の画像読取位置ＧＰ１でのみ原稿上の画像が読み取られることになる。なお、図示はしないが、画像形成装置においては、原稿読取によって得られた画像データに基づいて、感光体ドラム等の像担持体を露光して、像担持体上に静電潜像を形成する。そして、現像装置によって静電潜像を現像した後、像担持体上のトナー像を記録用紙に転写し、記録用紙上のトナー像を定着して、排紙トレイに排紙する。
【００２０】
図１に示すように、原稿給送機構１２は原稿給紙トレイ１１の後側（原稿搬送方向下流側）に配置されており、原稿給送機構１２には、原稿給紙ローラ部（以下単に給紙ローラ部と呼ぶ）１４が備えられており、この原稿給紙ローラ部１４は、ローラハウジング１４ａ、ピックアップローラ（ピックアップコロ）１４ｂ、フィード機構１４ｃ、及び分離ローラ１４ｄを有している。さらに、原稿給送機構１２は、フィード機構１４ｃの下流側に配置された原稿送り部２０を有しており、この原稿送り部２０は、大径の駆動ローラ２１と小径の従動ローラ２２〜２４とを備えている。従動ローラ２２〜２４の周面は駆動ローラ２１の周面に当接している。そして、原稿は原稿送り部２０によって第１の原稿読取位置ＧＰ１に送られた後、第２の原稿読取位置ＧＰ２を通過して、排紙ローラ１６によって原稿排紙トレイ１５に排紙される。
【００２１】
画像読取装置１３は、読取ローラ３１及び密着型イメージセンサ３２を備えて、密着型イメージセンサ３２は読取ローラ３１に僅かな隙間（例えば、３ｍｍ程度）をおいて対向しており、読取ローラ３１と密着型イメージセンサ３２との間を原稿が通過して、原稿上の画像が密着型イメージセンサ３２で読み取られる。図示の密着型イメージセンサ３２はセンサ筐体（センサフレーム）３２ａに支持されており、このセンサフレーム３２ａの一端面側（図１において奥側）は、原稿自動給送装置筐体（以下装置筐体と呼ぶ）１０ａに支持点部１０ｂによって遊嵌されている。また、読取ローラ３１は前述の従動ローラ２４及び原稿排紙ローラ対１６の一方とともにガイドフレーム体３３に支持されてガイドユニット３４が形成されている。
【００２２】
図２は装置筐体１０ａ、密着型イメージセンサ３２、及びカイドユニット３４のみを部分的に前側から示す斜視図であり、前述したように、センサフレーム３２ａの後端（奥側）は支持点部１０ｂによって装置筐体１０ａの後側面に遊嵌されている。一方、装置筐体１０ａの前側面には、前側開口部３５が形成されており、この前側開口部３５にはセンサフレーム３２ａの前端側が挿入される。この前側開口部３５の大きさ（開口面積）はセンサフレーム３２ａの前端側よりも大きく、センサフレーム３２ａの前端側には取付フランジ部３６が形成されている。そして、この取付フランジ部３６によってセンサフレーム３２ａは装置筐体１０ａの前側面にネジ止め等によって固定される（ネジ穴３６ａは図示のように長穴形状となっている）。
【００２３】
図３は装置筐体１０ａ、密着型イメージセンサ３２、及びカイドユニット３４のみを部分的に後ろ側から示す斜視図であり、センサフレーム３２ａの後端は支持点部１０ｂによって装置筐体１０ａの後側面に遊嵌されており、装置筐体１０ａの後側面には後側開口部３７が形成されている。この後側開口部３７にはセンサフレーム３２ａの後端側が挿入され、後側開口部３７の大きさ（開口面積）はセンサフレーム３２ａの後端側よりも若干大きい。
【００２４】
図４を参照して、図４は密着型イメージセンサ３２及び読取ローラ３１のみを示す斜視図であり、センサフレーム３２ａは前述のようにして、装置筐体１０ａに支持されている。一方、読取ローラ３１はガイドフレーム体３３（図１）に支持されており、読取ローラ３１の軸３１ａの後端（図４において右端）はガイドフレーム体３３に回転可能に遊嵌されている。そして、軸３１ａの内側に位置する軸受け（図示せず）に鍔部（図示せず）が形成され、この鍔部の外径は読取ローラ３１の外径よりも若干大きい。鍔部が密着型イメージセンサ３２の下面に当接して、密着型イメージセンサ３２は読取ローラ３１に僅かな隙間をおいて対向している。
【００２５】
また、軸３１ａは読取ローラ保持部材３８に回転可能に保持されており、この読取ローラ保持部材３８はガイドフレーム体３３に支持されている。さらに、図４に示すように、センサフレーム３２ａの前端側には下方に延びる読取ローラ位置決め部材３９が取り付けられており、この読取ローラ位置決め部材３９によって後述するようにして、読取ローラ３１の軸３１ａがセンサフレーム３２ａに対して位置決めされる。
【００２６】
図５を参照すると、図５は密着型イメージセンサ３２及びガイドユニット３４を前側から示す側面図であり、密着型イメージセンサ３２にはガラス板（透明部材）３２ｂが嵌めこまれて、このガラス板３２ｂが読取ローラ３１の周面に密着している。読取ローラ保持部材３８には原稿搬送方向（図５に実線矢印で示す方向）に平行に延びる長穴３８ａが形成されており、この長穴３８ａに軸３１ａが挿入されている。読取ローラ保持部材３８の一端（図５において右端）は支点軸部材３８ｂによってガイドフレーム体３３に回動可能に取り付けられており、この支点軸部材３８ｂを支持する軸支持部材４０が後述するようにして解除方向に回動すると、ガイドユニット３４が下方に下がる。
【００２７】
図５に示すように、読取ローラ位置決め部材３９は一対の中空突起体３９ａ及び３９ｂを有しており、図示のように、ガラス板３２ｂが読取ローラ３１の周面に密着している際には、中空突起体３９ａ及び３９ｂによって軸３１ａが挟持されて、中空突起体３９ａ及び３９ｂによって軸３１ａ（つまり、読取ローラ３１）の位置決めが行われる。
【００２８】
図６は密着型イメージセンサ３２及びガイドユニット３４を後側から示す側面図であり、読取ローラ３１の軸３１ａは軸支持部材４１によって、ガイドフレーム体３３に支持されている。つまり、図６に示すように、軸支持部材４１の一端側（図中右端側）には開口部４１ａが形成され、この開口部４１ａに軸３１ａの端部が遊嵌されている。軸支持部材４１は図示のように略鉤型形状であり、その中央部には支点軸部材３８ｂが装着されている。
【００２９】
また、軸支持部材４１は支点軸部材３８ｂに回動可能に支持されており、軸支持部材４１の端部(図６に符号４２で示す穴の部分)にはコイルバネ(図示せず)が架けてあり、軸支持部材４１はコイルバネによって反時計方向に付勢されている。つまり、読取ローラ３１を密着型イメージセンサ３２側に付勢している。そして、後述するように、ガイドユニット３４の取り付け解除を行うと、支持ステー４３ａに回動可能に支持された支持軸体４３回りにガイドユニット３４が下方に移動し、読取ローラ３１とガラス板３２ｂ（密着型イメージセンサ３２）との密着が解除されることになる。なお、支持軸体４３に装着された捩りバネ部材４４はガイドユニット３４の下方への移動の際の衝撃を和らげる作用をする。また、ガイドユニット３４を外して下げた際、この付勢に対して読取ローラ３１の上方への動きを規制する当り役割を、軸支持部材４１は持っている。
【００３０】
図７を参照して、図７は原稿給送装置１０を下側から見た斜視図であり、密着型イメージセンサ３２とガイドユニット３４とを離間させる際には、まず、原稿給送装置１０の下面に位置づけられた原稿マット部材４５をその前面側で外して、図示のように原稿マット部材４５を下側に傾斜させる。なお、原稿マット部材４５はその後端側がヒンジ機構４５ａによって装置筐体１０ａに回動可能に支持されている。
【００３１】
図８も参照すると（図８は読取ローラ位置決め部材３９を除いて示す側面図である）、ガイドユニット３４の下面には解除レバー４６が備えられており、解除レバー４６を図中実線矢印で示す方向にスライドさせると、解除レバー４６に備えられた押圧部４６ａが軸支持部材４０の下端を実線矢印で示す方向に押圧する。軸支持部材４０は支点軸４０ａによって装置筐体１０ａに回動可能に取り付けられている結果、軸支持部材４０の下端側は破線矢印で示す方向に支点軸４０ａ回りに回動する。この結果、軸支持部材４０の上端側は一点鎖線矢印で示す向きに回動することになる。
【００３２】
これによって、支点軸部材３８ｂが軸支持部材４０から外れて、ガイドユニット３４は支持軸体４３回りに下方に回動して、図９に示す状態となって（図７も参照）。読取ローラ３１と密着型イメージセンサ３２が離間する。なお、装置筐体１０ａにはガイドフレーム体３３の位置決めを行う位置決め板部材４７が備えられている。
【００３３】
このようにして、読取ローラ３１と密着型イメージセンサ３２とを離間させれば、読取ローラ３１の周面及び密着型イメージセンサ３２のガラス板３２ｂが露出するから容易に清掃を行うことができる。
【００３４】
ところで、前述したように、画像読取の際には、原稿の浮き等を抑えるため、読取ローラを密着型イメージセンサ３２の読取基準位置に精度よく位置づける必要があり、製造段階等において、位置決め調整が行われることになる。一方、製造段階の試験時又はメンテナンス時において、原稿が斜め搬送される際には（所謂斜行）、密着型イメージセンサの取り付け位置を調整することになるが、この際には、上述の説明から明らかなように、センサフレーム３２ａの前端側を原稿搬送方向に移動して微調整を行った後、センサフレーム３２ａの前端側を装置筐体１０ａに固定することになる（前述したように、センサフレーム３２ａの後側は支持点部１０ｂによって装置筐体１０ａに遊嵌されているから微調整を行うことは可能である）。
【００３５】
そして、センサフレーム３２ａ、つまり、密着型イメージセンサ３２の微調整を行って、原稿の斜行に対処すると、前述のように、センサフレーム３２ａに取り付けられた読取ローラ位置決め部材３９もセンサフレーム３２ａの移動方向に移動することになるから、中空突起体３９ａ及び３９ｂに挟持された軸３１ａがセンサフレーム３２ａの移動方向に移動して、密着型イメージセンサ３２と読取ローラ３１との相対的位置を容易に調整することができることになる。つまり、密着型イメージセンサ３２を微調整すると、この微調整に連動して読取ローラ３１も移動することになって、密着型イメージセンサ３２を微調整するだけで、読取ローラ３１の位置も微調整されることになる。
【００３６】
このことは、密着型イメージセンサ３２とガイドユニット３４とを離間させた後、再び密着させる場合にも言えることである。つまり、密着型イメージセンサ３２を読取ローラ３１に密着させると、読取ローラ位置決め部材３９の中空突起体３９ａ及び３９ｂが軸３１ａを挟持することになるから、密着型イメージセンサ３２の位置が多少ずれても、長穴３８ａ内を軸３１ａが摺動して、密着型イメージセンサ３２と読取ローラ３１との相対的位置がずれることはない。なお、上述の説明から明らかなように、画像読取装置は、密着型イメージセンサ３２を原稿の搬送方向に沿って移動可能に支持するセンサ支持手段と、密着型イメージセンサ３２を原稿の搬送方向に沿って移動させて密着型イメージセンサ３２の位置調整を行うセンサ位置調整手段と、センサ位置調整手段による密着型イメージセンサの位置調整に連動して読取ローラ３１の位置調整を行う読取ローラ位置調整手段を有することになる。
【産業上の利用可能性】
【００３７】
読取ローラと、読取ローラに対向する密着型イメージセンサとを備え、読取ローラと前記密着型イメージセンサとの間を通過する原稿上画像を密着型イメージセンサで読み取って画像データを得る画像読取装置において、密着型イメージセンサの位置調整に連動して読取ローラの位置調整が行われるから、原稿給送装置に内蔵される画像読取装置ばかりでなく、他の機器に内蔵される画像読取装置にも適用できる。
【図面の簡単な説明】
【００３８】
【図１】本発明による画像読取装置（画像読取部）の実施例１が用いられる原稿給送装置を前面側から示す断面図である。
【図２】図１に示す原稿自動給送装置において、原稿給送装置筐体、密着型イメージセンサ、及びカイドユニットのみを部分的に前側から示す斜視図である。
【図３】図１に示す原稿自動給送装置において、原稿給送装置筐体、密着型イメージセンサ、及びカイドユニットのみを部分的に後側から示す斜視図である。
【図４】図１に示す原稿自動給送装置において、密着型イメージセンサ及び読取ローラのみを示す斜視図である。
【図５】図１に示す原稿自動給送装置において、密着型イメージセンサ及びカイドユニットを部分的に前側から示す図である。
【図６】図１に示す原稿自動給送装置において、密着型イメージセンサ及びカイドユニットを部分的に後側から示す図である。
【図７】図１に示す原稿自動給送装置を、原稿マット部材及びガイドユニットを開いた状態で下側から見た斜視図である。
【図８】図１に示す原稿自動給送装置において、読取ローラと密着型イメージセンサとの離間を説明するため側面図である。
【図９】図１に示す原稿自動給送装置において、読取ローラと密着型イメージセンサとが離間された状態を示す斜視図である。
【符号の説明】
【００３９】
１０  原稿自動給送装置
１１  原稿給紙トレイ（シート積載部）
１２  原稿給送機構
１３  画像読取装置（画像読取部）
１４  原稿給紙ローラ部
１５  原稿排紙トレイ
１６  排紙ローラ対
３１  読取ローラ
３２  密着型イメージセンサ
３２ａ  センサ筐体（センサフレーム）
３３  ガイドフレーム体
３４  ガイドユニット
３６  取付フランジ部
３８  読取ローラ保持部材
３９  読取ローラ位置決め部材
４０，４１  軸支持部材
４３  支持軸体
４４  捩りバネ部材
４５  原稿マット部材
４６  解除レバー
【図１】
2005051560.tif 000003
【図２】
2005051560.tif 000004
【図３】
2005051560.tif 000005
【図４】
2005051560.tif 000006
【図５】
2005051560.tif 000007
【図６】
2005051560.tif 000008
【図７】
2005051560.tif 000009
【図８】
2005051560.tif 000010
【図９】
2005051560.tif 000011